(57)【特許請求の範囲】
【請求項１】
前壁と後壁とに複数の梁を架け渡して構成される擁壁を構築するブロックにおいて、
前後に高低差があり、互いに前後方向に掛合するカギ状段付きを梁の上縁及び下縁それぞれに形成し、前記梁の上縁のカギ状段付きの縦部分に段差形成版を架け渡し、
段差形成版より前壁側は段差形成版の上部付近までコンクリートを打設させ、段差形成版より後壁側は段差形成版の下部付近までコンクリートを打設させることにより、段差形成版を挟む打継ぎ目に段差を形成させる段付き打継ぎ目形成ブロック。
【請求項２】
前壁と後壁とに複数の梁を架け渡して構成される擁壁を構築するブロックにおいて、
部分的に高低差のある凸部を梁の上縁に、前記凸部が嵌合する凹部を梁の下縁にそれぞれ形成し、前記梁の縦面の上下方向の中間に段差形成版を架け渡し、
段差形成版より前壁側は段差形成版の上部付近までコンクリートを打設させ、段差形成版より後壁側は段差形成版の下部付近までコンクリートを打設させることにより、段差形成版を挟む打継ぎ目に段差を形成させる段付き打継ぎ目形成ブロック。
【発明の詳細な説明】
【０００１】
【発明の属する技術分野】
本発明は、特にブロック積擁壁を構築するのに用いると、擁壁強度や耐震性、耐久性等の強化が可能な段付き打継ぎ目形成ブロックに関する。
【０００２】
【従来の技術】
もたれ式擁壁は擁壁の荷重を法面へ作用させて安定化させる構造である。従来、コンクリート打ちによるもたれ式擁壁が行われてきた。高さ方向にコンクリート打設と固化が繰り返されてもたれ式擁壁が形成される。この場合の擁壁の強度や耐震性、耐久性等に配慮して、建設省でも土木構造物標準設計を制定し、主型枠の間へ段付けのための型枠組みをして、図８に示すように、前面１と背面２間の打継ぎ目４に打設コンクリート６の段差５を付けるようになっている。なお、符号３は施工仕様によっては配置されない場合もあるが、配置される場合には１本或いは数本の鉄筋等の鋼材を示している。
【０００３】
型枠組みが必要であったり、施工期間が長い等の理由から、最近では、型枠を必要とせず、施工期間が短いブロック積方式が採用されている（例えば、特開平08-218401号）。
【０００４】
【発明が解決しようとする課題】
このブロック積方式の場合には、上下ブロック間をピン止めしたり、凹凸継手によってブロックのズレを防止するとか、背部に設けた配筋へブロックを係止する（例えば実公平01-041784号）程度で、ブロックのズレ等に対処するための技術はみられるものの、上下方向に連続した中込めコンクリートの打継ぎ目に耐震等に配慮して段差を付けるといったものはみられない。そこで本発明は、中込めコンクリートの打設に伴ない自然とコンクリート打継ぎ目に段差を付けることができるブロックの提供を検討した。
【０００５】
【課題を解決するための手段】
上記課題を検討した結果、前壁と後壁とに複数の梁を架け渡して構成される擁壁を構築するブロックにおいて、前後に高低差があり、互いに前後方向に掛合するカギ状段付きを梁の上縁及び下縁それぞれに形成し、前記梁の上縁のカギ状段付きの縦部分に段差形成版を架け渡し、段差形成版より前壁側は段差形成版の上部付近までコンクリートを打設させ、段差形成版より後壁側は段差形成版の下部付近までコンクリートを打設させることにより、段差形成版を挟む打継ぎ目に段差を形成させる段付き打継ぎ目形成ブロックとした。ここにいう擁壁を構築するブロックには、前壁と後壁との間をつなぐ梁を複数有する形状のものや、箱形に形成されたもの、矩形、更には、側面視で多角形、菱形、平行四辺形、台形など、前壁又は後壁が垂直、傾斜、曲面等の擁壁を構成するブロック等が含まれる。
【０００６】
また、同様なブロックにおいて、部分的に高低差のある凸部を梁の上縁に、前記凸部が嵌合する凹部を梁の下縁にそれぞれ形成し、前記梁の縦面の上下方向の中間に段差形成版を架け渡し、段差形成版より前壁側は段差形成版の上部付近までコンクリートを打設させ、段差形成版より後壁側は段差形成版の下部付近までコンクリートを打設させることにより、段差形成版を挟む打継ぎ目に段差を形成させる段付き打継ぎ目形成ブロックとしてもよい。この場合、段差形成版は、梁の縦面に架け渡すことにより、梁の上縁及び下縁の間に設けられる。
【０００７】
【発明の実施の形態】
以下本発明を図面に基づいて詳細に説明する。図１は本発明実施例の段付き打継ぎ目形成ブロックの斜視図である。図２は同ブロックを用いて構築過程にある擁壁の要部斜視図である。図３は図２中A-A断面図である。この例で示した段付き打継ぎ目形成ブロック10は、前壁11と後壁12と２つのほぼ平行な梁13,13によって構成されている。梁13には中込めコンクリートの連続性を保つ貫通孔14がある。この擁壁を構築することができるブロックにおいて、ブロックの梁13の上縁及び下縁それぞれに、前後に高低差があり、互いに前後方向に掛合するカギ状段付き７,８を形成している。この梁13,13の上縁のカギ状段付き７の縦部分に段差形成版15を架け渡している。段差形成版15は、斜め或いは垂直に平板状で、コンクリート６の打継ぎ目４に段差５を付けるのに充分な幅（高さ）で設けている。カギ状段付き７,８や段差形成版15の形状は任意であり、また、２段、３段に設けてもよい。
【０００８】
この段付き打継ぎ目形成ブロックを用い構築過程にある擁壁の様子は図２と図３にみられるが、下段のブロック10aが積まれた時に生じた打設コンクリート6aの打継ぎ目4a及び段差5aの上に被覆するように、下段のブロック10aのカギ状段付き7aに上段のブロック10bのカギ状段付き8bを後方から掛合させるように前記上段のブロック10bを下段のブロック10aに載せ、段差形成版15より前壁11側は段差形成版15の上部付近までコンクリート６を打設させ、段差形成版15より後壁12側は段差形成版15の下部付近までコンクリート６を打設させることにより、段差形成版15を挟む打継ぎ目4bに段差5bを形成させる。擁壁の上下に連続した中込めコンクリート6の各打継ぎ過程で自然と段差５が形成されるのである。この実施例のように梁13の上縁及び下縁それぞれに、前後に高低差があり、互いに前後方向に掛合するカギ状段付き７,８を形成すると、施工時のズレ止めも兼ねることができる。また、図示することを省略するが段差形成版15を打設コンクリートよりも上部に突出するように設けると、上段に打設された中込めコンクリートの下方が下段ブロックに達して打継ぎ目に更に耐震等に効果的な段差を付けることができる。
【０００９】
図４〜図７は本発明の他の実施例の段付き打継ぎ目形成ブロックを示しており、図４は平面図、図５は斜視図、図６は同ブロックを用いて構築過程にある擁壁の要部斜視図である。図７は図６中B-B断面図である。この例では前壁11と後壁12間（控え長の略中間付近）でブロックの上下間、すなわち前記梁の縦面の上下方向の中間に段差形成版を架け渡し、梁13,13を利用して段差形成版15を設けている。梁13,13の上縁には部分的に高低差のある凸部16があり、下縁には前記凸部が嵌合する凹部17を設けている。これらが上下ブロック間に前後方向の係合関係を持ち、ズレ止め作用を発揮する。
【００１０】
この段付き打継ぎ目形成ブロック10を用いて構築過程にある擁壁の様子を図６と図７に示す。下段のブロック10aが積まれたときのコンクリート6aを打継ぎ目4aと段差5aの上に、上段のブロック10bの中込めとしてコンクリート6bが打設され、上面に打継ぎ目4b及び段差5bが形成されている。この例では段付き打継ぎ目形成ブロックの内部の段差形成版15より前壁11側は段差形成版15の上部付近までコンクリートを打設し、段差形成版15より後壁12側は段差形成版15の下部付近までコンクリートを打設することによって、上下に連続した中込めコンクリート6の各打継ぎ過程で段差５を形成することができる。
【００１１】
【発明の効果】
本発明の段付き打継ぎ目形成ブロックは、前壁背部の中込めコンクリートの打設に伴ないコンクリート打継ぎ目に段差を付けることができる。そこで、耐土圧等の擁壁強度、耐震性、耐久性等の向上が可能となった。
【図面の簡単な説明】
【図１】本発明実施例の段付き打継ぎ目形成ブロックの斜視図である。
【図２】同ブロックを用いて構築過程にある擁壁の要部斜視図である。
【図３】図２中A-A断面図である。
【図４】他の実施例の段付き打継ぎ目形成ブロックの平面図である。
【図５】同段付き打継ぎ目形成ブロックの斜視図である。
【図６】同ブロックを用いて構築過程にある擁壁の要部斜視図である。
【図７】図６中B-B断面図である。
【図８】従来のコンクリート打ちもたれ式擁壁の段付けの様子を示す断面図である。
【符号の説明】
１  表面
２  背面
３  配筋
４  打継ぎ目
５  段差
６  コンクリート
７  上縁のカギ状段付き
８  下縁のカギ状段付き
10  段付き打継ぎ目形成ブロック
11  前壁
12  後壁
13  梁
14  貫通孔
15  段差形成版
16  凸部
17  凹部
【図１】
0004520630.tif 000002
【図２】
0004520630.tif 000003
【図３】
0004520630.tif 000004
【図４】
0004520630.tif 000005
【図５】
0004520630.tif 000006
【図６】
0004520630.tif 000007
【図７】
0004520630.tif 000008
【図８】
0004520630.tif 000009